(57)【特許請求の範囲】
【請求項１】
再生装置及び増幅装置を備えたオーディオシステムであって、
前記増幅装置は、
前記再生装置からの音声信号を増幅する増幅手段と、
前記増幅手段による増幅に関連する表示を行う表示手段と、
前記表示手段により所定の表示動作を開始し及び解除するときにその旨を示す前記表示開始通知及び表示解除通知を前記再生装置に送信する送信手段と、
前記再生装置からの再生開始通知及び再生停止通知を受信する受信手段と、
前記受信手段により受信する再生開始通知及び再生停止通知に基づき、前記再生装置の再生手段による再生が所定期間連続して行われなかったことを検出する検出手段と、
前記検出手段による検出が行われたことを条件として、前記送信手段による表示開始通知の送信を行い、前記表示手段による所定の表示動作を開始するとともに、該表示動作を停止するときには前記送信手段による表示解除通知の送信を行う制御手段とを具備し、
前記再生装置は、
記録媒体に記録された音声データに基づいて音声信号を再生する再生手段と、
前記再生手段による再生に関連する表示を行う表示手段と、
前記再生手段による再生を開始及び停止するときにその旨を示す再生開始通知及び再生停止通知を前記増幅装置に送信する送信手段と、
前記増幅装置からの所定の表示動作を開始し及び解除する旨を示す表示開始通知及び表示解除通知を受信する受信手段と、
前記受信手段により受信する表示開始通知及び表示解除通知に応じて、前記所定の表示動作を前記表示手段を用いて開始し及び解除する制御手段とを具備することを特徴とするオーディオシステム。
【請求項２】
前記再生装置の制御手段は、
前記受信手段による表示開始通知の受信に応じて前記所定の表示動作を開始した場合において前記再生手段による再生を開始するときに、前記送信手段による再生開始通知の送信を行うとともに、該所定の表示動作を解除するものであることを特徴とする請求項１に記載のオーディオシステム。
【請求項３】
前記増幅装置の制御手段は、前記検出手段による検出に基づく所定の表示動作の開始後、前記受信手段による再生開始通知の受信があった場合には該所定の表示動作を解除するものであることを特徴とする請求項２に記載のオーディオシステム。
【請求項４】
前記所定の表示動作はスクロール表示動作であることを特徴とする請求項１〜３のいずれか１項に記載のオーディオシステム。
【請求項５】
請求項１〜４のいずれかの装置における各手段としてコンピュータを機能させることを特徴とするプログラム。
【請求項６】
再生装置及び増幅装置を備えたオーディオシステムにおける表示制御方法であって、
前記増幅装置が、前記再生装置からの音声信号を増幅する増幅工程と、
前記増幅工程による増幅に関連する表示を行う表示工程と、
前記増幅装置が、前記増幅装置が、前記表示工程により所定の表示動作を開始し及び解除するときにその旨を示す前記表示開始通知及び表示解除通知を前記再生装置に送信する送信工程と、
前記増幅装置が、前記再生装置からの再生開始通知及び再生停止通知を受信する受信工程と、
前記増幅装置が、前記受信工程により受信する再生開始通知及び再生停止通知に基づき、前記再生装置の再生工程による再生が所定期間連続して行われなかったことを検出する検出工程と、
前記増幅装置が、前記検出工程により検出が行われたことを条件として、前記送信工程による表示開始通知の送信を行い、前記表示工程により所定の表示動作を開始するとともに、該表示動作を停止するときには前記送信工程による表示解除通知の送信を行う制御工程とを具備し、
前記再生装置が、記録媒体に記録された音声データに基づいて音声信号を再生する再生工程と、
前記再生装置が、前記再生工程による再生に関連する表示を行う表示工程と、
前記再生装置が、前記再生工程による再生を開始及び停止するときにその旨を示す再生開始通知及び再生停止通知を前記増幅装置に送信する送信工程と、
前記再生装置が、前記増幅装置からの所定の表示動作を開始し及び解除する旨を示す表示開始通知及び表示解除通知を受信する受信工程と、
前記再生装置が、前記受信工程により受信する表示開始通知及び表示解除通知に応じて、前記所定の表示動作を前記表示工程により開始し及び解除する制御工程とを具備することを特徴とするオーディオシステムにおける表示制御方法。
【発明の詳細な説明】
【技術分野】
【０００１】
本発明は、再生装置及び増幅装置を備えたオーディオシステム、該システムにおける各手段としてコンピュータを機能させるプログラム、及び該システムに適した表示制御方法に関する。
【背景技術】
【０００２】
従来、再生装置及びアンプが別筐体のものとして構成されたオーディオシステムにおいては、表示管の焼付きを防止するために、特定の文字列をスクロール表示させるようにしている。その際、スクロール表示は、アンプにおいては、一定時間キー操作が無い場合に行い、再生装置においては、一定時間再生を停止している場合又はキー操作が無い場合に行うようにしている。
【０００３】
図５はこのような従来のオーディオシステムの外観図である。図中の５１はＣＤに記録された楽曲データに基づき、デジタル又はアナログの音声信号を再生して出力するＣＤプレーヤ、５２はＣＤプレーヤ５１からの音声信号を増幅するアンプ、５３はＣＤプレーヤ１からのデジタル音声信号をアンプ５２へ伝送するためのデジタルケーブル、そして５４はＣＤプレーヤ１からのアナログ音声信号をアンプ５２へ伝送するためのアナログケーブルである。ＣＤプレーヤ５１及びアンプ５２はそれぞれ、装置各部の制御や必要な情報処理をプログラムに従って行う制御部、該制御部に対してユーザが指示を与えるための操作キー、及び制御部がユーザに対して必要な情報の表示を行うための表示部を備える。ＣＤプレーヤ５１の操作キーにはＣＤの再生の開始を指示するための再生キーや、再生の停止を指示するための停止キーが含まれる。
【０００４】
図６はアンプ５２の制御部による処理を示すフローチャートである。この処理においては、操作キーの操作が所定期間行われない場合、自動的にスクロール表示を行うようにしている。すなわち、処理を開始すると、ステップ６１において、スクロール開始タイマによる計時を開始する。次に、ステップ６２において、アンプ５２の操作キーの操作があったかどうかを判定する。キー操作があったと判定した場合にはステップ６１へ戻り、スクロール開始タイマによる計時を初めからやり直す。
【０００５】
ステップ６２においてキー操作がなかったと判定した場合にはステップ６３へ進み、スクロール開始タイマがタイムアップしたかどうかを判定する。タイムアップしていないと判定した場合にはステップ６２へ戻る。タイムアップしたと判定した場合にはステップ６４へ進み、スクロール表示を開始する。スクロール表示を行いっている間、ステップ６５において、キー操作の有無を監視する。キー操作が有ったことを検出した場合にはステップ６６に進み、スクロール表示を解除して、ステップ６１に戻る。
【０００６】
図７はＣＤプレーヤ５１の制御部による処理を示すフローチャートである。この処理においては、一定時間再生を停止している場合又はキー操作が無い場合、自動的にスクロール表示を行うようにしている。すなわち、処理を開始すると、ステップ７１において、スクロール開始タイマによる計時を開始する。次に、ステップ７２において、ＣＤプレーヤ５１の操作キーの操作があったかどうかを判定する。
【０００７】
キー操作がなかったと判定した場合にはステップ７３へ進み、スクロール開始タイマがタイムアップしたかどうかを判定する。タイムアップしていないと判定した場合にはステップ７２へ戻る。タイムアップしたと判定した場合にはステップ７４へ進み、スクロール表示を開始する。スクロール表示を行いっている間、ステップ７５において、キー操作の有無を監視する。キー操作が有ったことを検出した場合にはステップ７６に進み、スクロール表示を解除して、ステップ７１に戻る。
【０００８】
一方、ステップ７２においてキー操作があったと判定した場合には、ステップ７７へ進み、操作された操作キーは再生キーであるか否かを判定する。再生キーではないと判定した場合にはステップ７１へ戻り、スクロール開始タイマによる計時を初めからやり直す。再生キーであると判定した場合には、ステップ７８へ進み、ＣＤの再生を開始する。
【０００９】
次に、ステップ７９及び８０において、ＣＤの再生終了又は停止キーの操作を待機する。再生終了又は停止キーの操作を検出すると、ステップ８１へ進み、ＣＤの再生を停止し、ステップ７１へ戻る。
【００１０】
このようにして、図５のオーディオシステムにおいては、表示管の焼付きを防止するために、アンプ５２においては、一定時間キー操作が無い場合にスクロール表示を行い、再生装置５１においては、一定時間再生もしておらず、キー操作も無い場合にスクロール表示を行うようにしている
【００１１】
なお、別筐体とされた各音響装置の表示部を主表示部及び従表示部として用い、外部からの割込みが発生した場合であっても、第１の音響機器の主表示部においてのみ割込み表示を行い、第２の音響機器の従表示部には割込み表示を行わないことにより、第２の音響機器において、割込みが発生した時点での表示状態を継続させ、また、第２の音響機器における操作部による操作の内容を保持することができるようにして、割込みによって操作状況が終了もしくは中断されるのを防止するようにした技術が知られている（たとえば特許文献１参照）。
【００１２】
【特許文献１】特開平１１−２５０６３８号公報
【発明の開示】
【発明が解決しようとする課題】
【００１３】
しかしながら、上述従来のオーディオシステムによれば、ＣＤプレーヤ５１及びアンプ５２においてそれぞれ一定時間キー操作が無い等の場合にスクロール表示を行うようにしているため、双方におけるスクロール表示の開始タイミングが異なり、システム全体としては不自然な表示となる。また、ＣＤプレーヤ５１において再生を行っているときにアンプ５２においてスクロール表示を開始すると、ＣＤプレーヤ５１は再生用の表示のままであるため、アンプ５２における入力セレクタが現在どの機器を選択しているかがわからなくなる。
【００１４】
また、アンプ５２において一定時間キー操作が無く、特定の文字をスクロール表示させるときに、ＣＤプレーヤ５１においてもこれに合わせてスクロール表示を行うようにすることも考えられるが、そのようにすると、ＣＤプレーヤ５１において、再生を行い、再生に関連したテキスト表示を行っているときに、突然スクロール表示が開始され、そのテキストを確認することができなくなるおそれもある。
【００１５】
本発明の目的は、このような従来技術の問題点に鑑み、オーディオシステムにおいて、アンプ及びＣＤプレーヤにおけるスクロール表示のタイミングをより適切に制御することができるようにすることにある。
【課題を解決するための手段】
【００１６】
この目的を達成するため、第１の発明に係るオーディオシステムは、再生装置及び増幅装置を備えたオーディオシステムであって、前記再生装置は、記録媒体に記録された音声データに基づいて音声信号を再生する再生手段と、前記再生手段による再生に関連する表示を行う表示手段と、前記増幅装置からの所定の表示動作を開始し及び解除する旨を示す表示開始通知及び表示解除通知を受信する受信手段と、前記受信手段により受信する表示開始通知及び表示解除通知に応じて、前記所定の表示動作を前記表示手段を用いて開始し及び解除する制御手段とを具備し、前記増幅装置は、前記再生装置からの音声信号を増幅する増幅手段と、前記増幅手段による増幅に関連する表示を行う表示手段と、前記表示手段により所定の表示動作を開始し及び解除するときにその旨を示す前記表示開始通知及び表示解除通知を前記再生装置に送信する送信手段とを具備することを特徴とする。
【００１７】
ここで、再生装置としては、たとえば、ＣＤプレーヤや、記録再生装置が該当する。再生に関連する表示としては、たとえば再生中や記録中の楽曲のタイトルや、再生時間、トラック番号が該当する。増幅に関連する表示としては、たとえば、ボリューム値の表示が該当する。所定の表示動作としては、たとえば焼付き防止用表示動作や、焼付き防止用スクロール表示動作が該当する。
【００１８】
この構成において、再生装置は、増幅装置からの表示開始通知及び表示解除通知を受信すると、これらの通知に応じて、所定の表示動作を開始及び解除する。一方、増幅装置は、該所定の表示動作を開始及び解除するときに表示開始通知及び表示解除通知を再生装置に送信する。したがって、該所定の表示動作を、再生装置は増幅装置と同期して行うことができる。
【００１９】
第２の発明に係るオーディオシステムは、第１発明において、前記再生装置は、前記再生手段による再生を開始及び停止するときにその旨を示す再生開始通知及び再生停止通知を前記増幅装置に送信する送信手段を有することを特徴とする。
【００２０】
第３の発明に係るオーディオシステムは、第２発明において、前記増幅装置は、前記再生装置からの再生開始通知及び再生停止通知を受信する受信手段と、前記受信手段により受信する再生開始通知及び再生停止通知に基づき、前記再生装置の再生手段による再生が所定期間連続して行われなかったことを検出する検出手段と、前記検出手段による検出が行われたことを条件として、前記送信手段による表示開始通知の送信を行い、前記表示手段による所定の表示動作を開始するとともに、該表示動作を停止するときには前記送信手段による表示解除通知の送信を行う制御手段とを具備することを特徴とする。
【００２１】
第４の発明に係るオーディオシステムは、第２又は第３発明において、前記再生装置の制御手段は、前記受信手段による表示開始通知の受信に応じて前記所定の表示動作を開始した場合において前記再生手段による再生を開始するときに、前記送信手段による再生開始通知の送信を行うとともに、該所定の表示動作を解除するものであることを特徴とする。
【００２２】
第５の発明に係るオーディオ装置は、第４発明において、前記増幅装置の制御手段は、前記検出手段による検出に基づく所定の表示動作の開始後、前記受信手段による再生開始通知の受信があった場合には該所定の表示動作を解除するものであることを特徴とする。
【００２３】
第６の発明に係るオーディオシステムは、第１〜第５のいずれかの発明に係るオーディオシステムにおいて、前記所定の表示動作はスクロール表示動作であることを特徴とする。
【００２４】
第７の発明に係るプログラムは、第１〜第６のいずれかの発明に係るオーディオシステムにおける各手段としてコンピュータを機能させることを特徴とする。
【００２５】
第９の発明に係るオーディオシステムにおける表示制御方法は、再生装置及び増幅装置を備えたオーディオシステムにおける表示制御方法であって、前記再生装置が、記録媒体に記録された音声データに基づいて音声信号を再生する再生工程と、前記再生装置が、前記再生工程による再生に関連する表示を行う表示工程と、前記再生装置が、前記増幅装置からの所定の表示動作を開始し及び解除する旨を示す表示開始通知及び表示解除通知を受信する受信工程と、前記再生装置が、前記受信工程により受信する表示開始通知及び表示解除通知に応じて、前記所定の表示動作を前記表示手段により開始し及び解除する制御工程と、前記増幅装置が、前記再生装置の再生工程により再生する音声信号を増幅する増幅工程と、前記増幅装置が、前記増幅工程による増幅に関連する表示を行う表示工程と、前記増幅装置が、前記表示工程により所定の表示動作を開始し及び解除するときにその旨を示す表示開始通知及び表示解除通知を前記再生装置に送信する送信工程とを具備することを特徴とする。
【発明の効果】
【００２６】
本発明によれば、所定の表示動作を開始及び解除するときに表示開始通知及び表示解除通知を再生装置に送信するとともに、再生装置は、該表示開始通知及び表示解除通知に応じて、該所定の表示動作を開始及び解除するようにしたため、再生装置は該所定の表示動作を増幅装置と同期して行うことができる。
【発明を実施するための最良の形態】
【００２７】
図１は、本発明の一実施形態に係るオーディオシステムの外観図である。図中の１はＣＤに記録された楽曲データに基づき、デジタル又はアナログの音声信号を再生して出力するＣＤプレーヤ、２はＣＤプレーヤ１からの音声信号を増幅するアンプ、３はＣＤプレーヤ１からのデジタル音声信号をアンプ２へ伝送するためのデジタルケーブル、４はＣＤプレーヤ１からのアナログ音声信号をアンプ２へ伝送するためのアナログケーブル、そして５はＣＤプレーヤ１及びアンプ２間において、必要な制御用のデータを伝送するためのデータケーブルである。
【００２８】
ＣＤプレーヤ１及びアンプ２はそれぞれ、プログラムに従って各部の制御や必要な情報処理を行う制御部、該制御部に対してユーザが指示を与えるための操作キー、及び該制御部がユーザに対して必要な情報の表示を行うための表示部等を備える。ＣＤプレーヤ１の操作キーには、再生開始を指示するための再生キー、再生停止を指示するための停止キーが含まれる。アンプ２はアンプ２への入力を選択するための入力セレクタを備える。アンプ２の操作キーには、入力セレクタを切り替えるためのセレクタキーが含まれる。また、ＣＤプレーヤ１及びアンプ２はそれぞれ、双方の制御部がデータケーブル５を介して相互に装置の状態を示す制御用のデータを送受するための通信手段を備える。各制御部は所定の条件が満たされたとき、表示部において、特定のテキストをスクロールさせながら表示させるスクロール表示を行う。
【００２９】
図２は、アンプ２の制御部による処理を示すフローチャートである。この処理においては、入力先としてＣＤプレーヤ１を選択している場合には、ＣＤプレーヤ１におけるＣＤの再生及びアンプ２におけるキー操作のいずれもが所定の猶予期間にわたり連続して行われなかった場合には、ＣＤプレーヤ１に対してスクロール表示を開始する旨を通知してスクロール表示を開始し、その後、アンプ２におけるキー操作又はＣＤプレーヤ１におけるＣＤの再生の開始があった場合にはＣＤプレーヤ１に対してスクロール表示を解除する旨を通知し、スクロール表示を解除するようにしている。
【００３０】
すなわち、処理を開始すると、ステップ１１において、入力セレクタにより選択している機器をＣＤプレーヤ１に通知するとともに、ステップ１２において、入力セレクタによる選択機器がＣＤプレーヤ１であるかどうかを判定する。
【００３１】
入力セレクタによる選択機器がＣＤプレーヤ１であると判定した場合には、ステップ１３〜１８において、ＣＤプレーヤ１におけるＣＤの再生及びアンプ２におけるキー操作のいずれもが行われていない期間が、上述の猶予期間を超過するまで連続するかどうかを監視する。ただし、この間に、入力セレクタがＣＤプレーヤ１以外を選択するように切り換えられた場合にはステップ１１に戻る。
【００３２】
すなわち、ステップ１３において、スクロール開始タイマに上述の猶予期間を設定してカウントダウンを開始する。次に、ステップ１４においてＣＤの再生開始がＣＤプレーヤ１から通知されたかどうかを判定する。再生開始が通知されたと判定した場合にはステップ１３へ戻り、再度カウントダウンを初めからやり直す。再生開始が通知されなかったと判定した場合にはステップ１５へ進み、ＣＤの再生停止がＣＤプレーヤ１から通知されたかどうかを判定する。再生停止が通知されなかったと判定した場合にはステップ１３へ戻り、再度カウントダウンを初めからやり直す。再生停止が通知されたと判定した場合にはステップ１６へ進み、アンプ２におけるキー操作があったかどうかを判定する。
【００３３】
ステップ１６においてキー操作があったと判定した場合にはステップ１７へ進み、キー操作が入力セレクタの切替えを行うためのものかどうかを判定する。入力セレクタの切替えではないと判定した場合には、ステップ１３へ戻り、再度カウントダウンを初めからやり直す。入力セレクタの切替えであると判定した場合には、ステップ１１へ戻る。
【００３４】
ステップ１６においてキー操作がなかったと判定した場合にはステップ１８において、スクロール開始タイマがタイムアップしたかどうかを判定する。スクロール開始タイマのタイムアップは、ＣＤの再生が行われず、かつアンプ２におけるキー操作が行われていない期間が上述の猶予期間を超過したことを意味する。タイムアップしていないと判定した場合にはステップ１４へ戻る。
【００３５】
このようにして上述の猶予期間の超過を検出した場合には、ステップ１９へ進み、ＣＤプレーヤ１に対してスクロール表示を開始する旨を通知するとともに、ステップ２０においてスクロール表示を開始する。そして、ステップ２１及び２２において、アンプ２におけるキー操作又はＣＤプレーヤ１におけるＣＤの再生開始の有無を監視する。キー操作又はＣＤの再生開始を検出した場合には、ステップ２３へ進み、ＣＤプレーヤ１に対してスクロール表示を解除する旨を通知するとともに、ステップ２４においてスクロール表示を解除し、ステップ１３へ戻る。
【００３６】
一方、ステップ１２において、入力セレクタがＣＤプレーヤ１を選択していないと判定した場合には、アンプ２におけるキー操作が無いまま所定の猶予期間が経過するかどうかを監視し、該期間の経過を検出した場合には、キー操作が検出されるまで、スクロール表示を行う。
【００３７】
すなわち、まずステップ２５において、スクロール開始タイマに所定の猶予期間を設定し、カウントダウンを開始する。次に、ステップ２６において、アンプ２におけるキー操作の有無を判定する。キー操作があったと判定した場合には、ステップ２７へ進み、キー操作が入力セレクタの切替えを指示するものであるかどうかを判定する。入力セレクタの切替えを指示するものではないと判定した場合には、ステップ２５へ戻り、再度カウントダウンを初めからやり直す。入力セレクタの切替を指示するものであると判定した場合には、ステップ１１へ戻る。
【００３８】
ステップ２６においてキー操作がなかったと判定した場合にはステップ２８へ進み、スクロール開始タイマがタイムアップしたかどうかを判定する。タイムアップしていないと判定した場合にはステップ２６へ戻る。タイムアップしたと判定した場合にはステップ２９へ進み、スクロール表示を開始する。そして、ステップ３０において、アンプ２におけるキー操作の有無を監視し、キー操作を検出した場合にはステップ３１においてスクロール表示を解除してステップ２５へ戻り、再度カウントダウンを初めからやり直す。
【００３９】
図３はＣＤプレーヤ１の制御部による処理を示すフローチャートである。この処理においては、ＣＤプレーヤ１におけるＣＤの再生が所定の猶予期間にわたり連続して行われなかったかどうかをアンプ２において判定することができるように、アンプ２に対してＣＤの再生を開始する場合及び停止する場合にはその旨をアンプ２に対して通知するようにしている。また、アンプ２からのスクロール開始及び解除の通知に基づき、アンプ２におけるスクロールの開始及び解除に連動してスクロール表示を行うようにしている。
【００４０】
すなわち、処理を開始すると、まずステップ３１において、アンプ２における選択機器がＣＤプレーヤ１となるのを待機する。該選択機器がＣＤプレーヤ１になったかどうかは図２のステップ１１において行われる入力セレクタの選択機器の通知に基づいて行うことができる。該選択機器がＣＤプレーヤ１になったことを検出すると、ステップ３２及び３３において、アンプ２からのスクロール表示の開始通知（図２のステップ１９）又は再生キーによる再生開始の指示入力の有無を監視する。
【００４１】
ステップ３３において再生開始の指示入力を検出すると、ステップ３４において、アンプ２に対して再生を開始する旨を通知する。アンプ２はこの通知の有無を図２のステップ１４において判定し、スクロール開始タイマに関する処理を決定するようにしている。
【００４２】
次に、ステップ３５においてＣＤの再生を開始する。そして、ステップ３６及び３７において、ＣＤの再生の終了又は停止キーによる再生停止の指示入力を待機する。ＣＤの再生終了又は再生停止の指示入力を検出すると、ステップ３８へ進み、ＣＤの再生を停止する旨の通知をアンプ２に対して行う。アンプ２はこの通知の有無を、図２のステップ１５において判定し、スクロール開始タイマに関する処理を決定するようにしている。次に、ステップ３９において、ＣＤの再生を停止する。その後、ステップ３２に戻り、上述の処理を繰り返す。
【００４３】
一方、ステップ３２においてスクロール表示の開始通知があったことを検出すると、ステップ４０に進み、スクロール表示を開始する。次に、ステップ４１及び４２において再生キーによる再生開始の指示入力又はアンプ２からのスクロール表示の解除通知の有無を監視する。ステップ４２においてスクロール表示の解除通知があったことを検出すると、ステップ４３においてスクロール表示を解除し、ステップ３２へ戻る。
【００４４】
ステップ４１において再生開始の指示入力を検出した場合にはステップ４４へ進み、アンプ２に対して再生を開始する旨を通知する。アンプ２はこの通知の有無を図２の処理のステップ２２において判定し、スクロール表示を解除するかどうかを決定するようにしている。
【００４５】
次に、ステップ４５においてＣＤの再生を開始する。そして、ステップ４６において、アンプ２からのスクロール表示の解除通知（図２のステップ２３）を待機する。解除通知を受信すると、ステップ４７においてスクロール表示を解除し、ステップ３６へ進む。この後、ＣＤの再生が終了し、又は停止キーが押下されるまで、スクロール表示が行われることなく、ＣＤの再生が行われることになる。
【００４６】
本実施形態によれば、アンプ２の入力セレクタがＣＤを選択し、ＣＤが再生中でない場合において、アンプ２がスクロール表示を開始し及び解除するときにはその旨をＣＤプレーヤ１に通知し（ステップ１９、２３）、これに応じてＣＤプレーヤ１はスクロール表示の開始及び解除を行うようにしたため（ステップ３２及び４０、４２及び４３）、ＣＤプレーヤ１はアンプ２と連動してスクロール表示を行うことができる。つまり、ＣＤプレーヤ１及びアンプ２が別筐体のものとして構成されている場合であっても、スクロール表示の同期をとることができる。
【００４７】
また、ＣＤプレーヤ１が、アンプ２からスクロール表示を開始する旨の通知を受けていない場合においてＣＤの再生を開始し及び終了する場合にはその旨をアンプ２に通知し（ステップ３４、３８）、アンプ２はこの通知に基づき、ＣＤの再生開始から終了までの間はスクロール表示を行わないようにしたため（ステップ１３〜１５、１８）、ＣＤの再生中に双方におけるスクロール表示が開始されるのを防止することができる。
【００４８】
また、ＣＤプレーヤ１が、アンプ２からのスクロール表示の開始通知に基づいてスクロール表示を開始した場合（ステップ４０）においてＣＤの再生を開始する場合には、その旨をアンプ２に通知し（ステップ４４）、アンプ２はこの通知に基づいてスクロール表示の解除通知をＣＤプレーヤ１に対して行うとともにスクロール表示を解除し（ステップ２３、２４）、ＣＤプレーヤ１は該解除通知に基づいてスクロール表示を解除する（ステップ４６、４７）ようにしたため、スクロール表示中にＣＤの再生を開始する場合には、ＣＤプレーヤ１及びアンプ２の双方におけるスクロール表示を解除することができる。
【００４９】
つまり、ＣＤプレーヤ１が再生中である場合には、アンプ２におけるキー操作がなされない場合でも、双方におけるスクロール表示を行わないため、再生している曲のテキスト等を、スクロール表示によって妨害されることなく、確認することができる。
【００５０】
なお、ＣＤプレーヤ１の代わりに記録再生装置を用い、該装置におけるダビングを含む録音状態をもアンプ２に通知し、アンプ２がこの録音状態をも考慮してパワーオフのタイミングを制御するようにしてもよい。
【００５１】
図４はこのような別の実施形態に係るオーディオシステムの外観図である。同図において、図１中の符号と同一の符号は図１における場合と同様の要素を示す。図４において、６は記録再生装置であり、ＣＤの再生、及びＣＤ−Ｒやハードディスク等への記録を行う機能を有する。記録再生装置６はプログラムに従って各部の制御や必要な情報処理を行う制御部、該制御部に対してユーザが指示を与えるための操作キー、及び該制御部がユーザに対して必要な情報を表示するための表示部等を備える。この操作キーには、再生開始を指示するための再生キー、再生停止を指示するための再生停止キー、記録開始を指示するための記録キー、及び記録停止を指示するための記録停止キーが含まれる。７はアンプ２からのアナログ音声信号を記録再生装置６へ入力するためのアナログケーブルである。
【００５２】
記録再生装置６の制御部は、アナログケーブル７を介してアンプ２から入力される音声信号に基づいて記録を行う場合にも図３の処理と同様の処理を行う。その場合、アンプ２の制御部も図２の処理と同様の処理を行う。これらの処理において、図３及び図２の処理と異なるのは、再生に関する動作が記録に関する動作となる点である。
【００５３】
すなわち、図３のステップ３４及び４４においてアンプ２に対して行う通知は記録を開始する旨の通知となり、ステップ３８においてアンプ２に対して行う通知は記録を停止する旨の通知となる。また、ステップ３３及び４１において入力の有無が判定されるのは録音キーとなり、ステップ３７では録音停止キーとなる。また、ステップ３５及び４５における処理は記録の開始であり、ステップ３９の処理は記録の停止となる。また、ステップ３６において判定されるのは記録の終了となる。一方、図２においては、ステップ１４及び２２において通知の有無が判定されるのは記録の開始通知であり、ステップ１５において通知の有無が判定されるのは記録の停止通知となる。
【００５４】
したがって、アンプ２の入力セレクタが記録再生装置６を選択し、記録再生装置６で記録中でない場合において、アンプ２がスクロール表示を開始し及び解除するときにはその旨を記録再生装置６に通知し（ステップ１９、２３）、これに応じて記録再生装置６はスクロール表示の開始及び解除を行う（ステップ３２及び４０、４２及び４３）。これにより、記録再生装置６はアンプ２と連動してスクロール表示を行うことができる。つまり、記録再生装置６及びアンプ２が別筐体のものとして構成されてい場合であっても、スクロール表示の同期をとることができる。
【００５５】
また、記録再生装置６が、アンプ２からスクロール表示を開始する旨の通知を受けていない場合において記録を開始し及び終了する場合にはその旨をアンプ２に通知し（ステップ３４、３８）、アンプ２はこの通知に基づき、記録の開始から終了までの間はスクロール表示を行わない（ステップ１３〜１５、１８）。これにより、記録再生装置６における記録中に双方におけるスクロール表示が開始されるのを防止することができる。
【００５６】
また、記録再生装置６が、アンプ２からのスクロール表示の開始通知に基づいてスクロール表示を開始した場合（ステップ４０）において記録を開始する場合には、その旨をアンプ２に通知し（ステップ４４）、アンプ２はこの通知に基づいてスクロール表示の解除通知を記録再生装置６に対して行うとともにスクロール表示を解除し（ステップ２３、２４）、記録再生装置６は該解除通知に基づいてスクロール表示を解除する。これにより、スクロール表示中に記録を開始する場合には双方におけるスクロール表示を解除することができる。
【００５７】
なお、本発明は上述実施形態に限定されることなく、適宜変形して実施することができる。たとえば、上述においてはＣＤの再生開始及び終了をアンプ２に通知し、アンプ２はこの通知を考慮してスクロール表示のタイミングを制御するようにしているが、ＣＤの再生開始及び終了に加え、プログラム再生の登録、タイトルの入力、セットアップ等のＣＤプレーヤ１における設定状態をＣＤプレーヤ１がアンプ２に通知するようにして、アンプ２はこの設定状態をも考慮してスクロール表示のタイミングを制御するようにしてもよい。さらには、ＣＤプレーヤ１における操作キーの操作があった場合にその旨をアンプ２に通知し、アンプ２がこの通知をも考慮してスクロール表示のタイミングを制御するようにしてもよい。
【００５８】
また、ＣＤプレーヤ１及びアンプ２は別筐体として構成されているため、長時間スクロール表示が継続すると、それぞれのマイコンのクロック、プログラム処理時間等の差異により、徐々にスクロール表示がずれてくる場合がある。そこで、双方に共通の特定の文字列をスクロールさせ、スクロールが一旦終了し、再度スクロールを開始するタイミングでスクロール開始通知をアンプ２からＣＤプレーヤ１に対して行い、ＣＤプレーヤ１は、この通知をアンプ２から受信した時点で、現在のスクロール表示を破棄し、スクロール表示を最初からやり直すようにしてもよい。
【００５９】
また、上述においては言及しなかったが、アンプ２の入力セレクタがＣＤプレーヤ１以外の機器を選択している場合においてＣＤプレーヤ１が再生の開始をアンプ２に通知してきた場合、アンプ２は入力セレクタによる選択をＣＤプレーヤ１に切り換えて、ステップ１３のスクロール開始タイマの開始処理に進むようにしてもよい。ただしこのとき、スクロール表示中であれば、スクロール表示を解除する。
【図面の簡単な説明】
【００６０】
【図１】本発明の一実施形態に係るオーディオシステムの外観図である。
【図２】図１のシステムにおけるアンプの制御部による処理を示すフローチャートである。
【図３】図１のシステムにおけるＣＤプレーヤの制御部による処理を示すフローチャートである。
【図４】本発明の別の実施形態に係るオーディオシステムの外観図である。
【図５】従来のオーディオシステムの外観図である。
【図６】図５のシステムにおけるアンプの制御部による処理を示すフローチャートである。
【図７】図５のシステムにおけるＣＤプレーヤの制御部による処理を示すフローチャートである。
【符号の説明】
【００６１】
１，５１：ＣＤプレーヤ、２，５２：アンプ、３，５３：デジタルケーブル、４，５４：アナログケーブル、５：データケーブル、６：記録再生装置、７：アナログケーブル。
【図１】
0004924355.tif 000002
【図４】
0004924355.tif 000003
【図２】
0004924355.tif 000004
【図３】
0004924355.tif 000005
【図５】
0004924355.tif 000006
【図６】
0004924355.tif 000007
【図７】
0004924355.tif 000008